(57)【特許請求の範囲】
【請求項１】
ハウジング内に、レバーの傾動によってＯＮ／ＯＦＦするトグルスイッチと、前記レバーがその傾動方向の前後でそれぞれ係止する一対の係止部を有して前記傾動方向へスライド可能なスイッチレバーとを備え、前記ハウジングの外部からの前記スイッチレバーのスライド操作により、前記スイッチレバーをスライドさせて前記レバーをＯＮ位置又はＯＦＦ位置へ傾動させる電動工具であって、
前記スイッチレバーにおける前記レバーのＯＮ位置側の前記係止部に、前記レバーを前記一対の係止部間に挿入させながら前記トグルスイッチを前記ハウジング内へ組み付ける際、当接した前記ＯＮ位置の前記レバーを前記ＯＦＦ位置へ傾動させる傾斜案内面を設けたことを特徴とする電動工具。
【請求項２】
前記ＯＮ位置側の前記係止部に、前記トグルスイッチ側へ突出する突起を設けて、前記傾斜案内面を前記係止部から前記突起に跨って形成したことを特徴とする請求項１に記載の電動工具。
【請求項３】
前記ハウジングが前記トグルスイッチの収容部分で二分割され、一方の分割ハウジングに沿って前記スイッチレバーがスライド可能に収容されて、前記トグルスイッチは、２つの前記分割ハウジングの組み付け方向に沿って前記分割ハウジング間に保持されて前記組み付け方向で前記レバーを前記一対の係止部間に挿入させることを特徴とする請求項１又は２に記載の電動工具。
【請求項４】
前記スイッチレバーにおける前記傾斜案内面よりも前記レバーの挿入方向前方側に、前記トグルスイッチの組み付け状態で前記レバーが当接する当接面を設けたことを特徴とする請求項１乃至３の何れかに記載の電動工具。
【請求項５】
前記２つの分割ハウジング間に、前記トグルスイッチを位置決めするスイッチケースを前記分割ハウジングと別体で保持させたことを特徴とする請求項３に記載の電動工具。
【発明の詳細な説明】
【技術分野】
【０００１】
本発明は、ハウジング内に収容したトグルスイッチ（「スナップスイッチ」とも称される）をスイッチレバーのスライド操作でＯＮ／ＯＦＦさせる電動工具に関する。
【背景技術】
【０００２】
サンダ等の電動工具においては、モータの駆動回路を開閉するスイッチとしてトグルスイッチを採用し、このトグルスイッチのレバーを、電動工具のハウジングに設けたスイッチレバーのスライド操作によって傾動させることで、トグルスイッチのＯＮ／ＯＦＦを切り替えるものが知られている（例えば特許文献１参照）。
【先行技術文献】
【特許文献】
【０００３】
【特許文献１】特開２００２−２７００６６号公報
【発明の概要】
【発明が解決しようとする課題】
【０００４】
このトグルスイッチをハウジングに組み付ける際、先にスイッチレバーをハウジングに組み付けた後、トグルスイッチのレバーを、スイッチレバーに設けられた一対の係止部間に挿入させてハウジングに組み付ける手順となる。
しかし、スイッチレバーがコイルバネ等によってＯＦＦ位置に付勢されている場合、トグルスイッチをレバーがＯＮ位置のまま組み付けようとすると、スイッチレバーのＯＮ位置側の係止部にレバーが干渉して組み付けができない。よって、作業者はレバーを一旦ＯＦＦ位置に傾動させてから組み付けをやり直す必要があり、組立効率が低下してしまう。
【０００５】
そこで、本発明は、トグルスイッチの組み付けの際のレバー位置の修正作業を不要として、高い組立効率が得られる電動工具を提供することを目的としたものである。
【課題を解決するための手段】
【０００６】
上記目的を達成するために、請求項１に記載の発明は、スイッチレバーにおけるレバーのＯＮ位置側の係止部に、レバーを一対の係止部間に挿入させながらトグルスイッチをハウジング内へ組み付ける際、当接したＯＮ位置のレバーをＯＦＦ位置へ傾動させる傾斜案内面を設けたことを特徴とするものである。
請求項２に記載の発明は、ＯＮ位置側の係止部に、トグルスイッチ側へ突出する突起を設けて、傾斜案内面を係止部から突起に跨って形成したことを特徴とするものである。
請求項３に記載の発明は、請求項１又は２の構成において、ハウジングがトグルスイッチの収容部分で二分割され、一方の分割ハウジングに沿ってスイッチレバーがスライド可能に収容されて、トグルスイッチは、２つの分割ハウジングの組み付け方向に沿って分割ハウジング間に保持されて組み付け方向でレバーを一対の係止部間に挿入させることを特徴とするものである。
請求項４に記載の発明は、請求項１乃至３の何れかの構成において、スイッチレバーにおける傾斜案内面よりもレバーの挿入方向前方側に、トグルスイッチの組み付け状態でレバーが当接する当接面を設けたことを特徴とするものである。
請求項５に記載の発明は、請求項３の構成において、２つの分割ハウジング間に、トグルスイッチを位置決めするスイッチケースを分割ハウジングと別体で保持させたことを特徴とするものである。
【発明の効果】
【０００７】
請求項１に記載の発明によれば、トグルスイッチの組み付けの際には、レバーの位置にかかわらず常にレバーを係止部間に挿入することができる。よって、レバーの位置を修正する作業が不要となり、高い組立効率が得られる。
請求項２に記載の発明によれば、請求項１の効果に加えて、傾斜案内面を広く形成できてレバーの案内がより確実に行える。また、突起を利用したスイッチレバーのスライド操作も容易に行えるため、操作ノブ等のスイッチレバーに関連する他の部品の組み付けに係る作業性も向上する。
【図面の簡単な説明】
【０００８】
【図１】往復動式工具の縦断面図である。
【図２】トグルスイッチの組み付け構造を下方から示す分解斜視図である。
【図３】スイッチレバーの斜視図である。
【図４】トグルスイッチの組み付け状態を示す説明図である。
【図５】トグルスイッチの組み付け状態を示す説明図である。
【図６】トグルスイッチの組み付け状態を示す説明図である。
【発明を実施するための形態】
【０００９】
以下、本発明の実施の形態を図面に基づいて説明する。
図１は、電動工具の一例である往復動式工具の縦断面図である。この往復動式工具１は、前方（図１の左側を前方とする。）の前ハウジング２から下向きに突出させたスピンドル１０を、所定角度で左右に往復回転させるものである。前ハウジング２の後方に連結される筒状のモータハウジング３内には、モータ４が収容されて、モータ４の出力軸５は、前ハウジング２内で同軸で軸支される中間軸６に、カップリング７を介して連結されている。中間軸６の中間部には、ベアリング９を外装した偏心軸部８が形成される一方、前ハウジング２内で上下方向に軸支されたスピンドル１０には、左右の後端をベアリング９の左右外側にそれぞれ伸長させた揺動部材１１が連結されている。
【００１０】
よって、出力軸５が回転して中間軸６が回転すると、偏心軸部８及びベアリング９が偏心運動して揺動部材１１の後端を左右に揺動させる。これにより、スピンドル１０が揺動部材１１を介して左右へ所定角度往復回転することになる。スピンドル１０の下端に設けたフランジ１２には、切断用工具や研磨用工具等のように形状や用途が異なる各種の先端工具Ｔがボルト１３によって着脱可能となっている。１４は、モータハウジング２の後端に装着される電源としてのバッテリーパック、１５は、前ハウジング２の上端前方で下向きに設けられたＬＥＤである。
【００１１】
一方、モータハウジング３は、モータ４の後部を保持する保持板１６よりも後方部分が上下に二分割されて、モータ４を収容する前側の筒状部分と一体の上ハウジング１７と、保持板１６よりも後方部分で上ハウジング１７に組み付けられる下ハウジング１８とから形成されている。モータ４の後方で上下ハウジング１７，１８間には、モータの駆動回路を開閉するトグルスイッチ１９が設けられている。このトグルスイッチ１９は、四角ブロック状のケース２０の上部に、レバー２２を保持する円柱状のブッシング２１が設けられる周知の構造で、上ハウジング１７と下ハウジング１８との間には、トグルスイッチ１９を保持するスイッチケース２３が設けられている。
【００１２】
このスイッチケース２３は、図２にも示すように、ブッシング２１が挿入可能な透孔２４を有すると共に、下面に、トグルスイッチ１９のケース２０が嵌合可能な左右一対の壁体２５，２５と、壁体２５，２５へのケース２０の嵌合状態でケース２０の下面に係止する係止片２６とを備えている。すなわち、スイッチケース２３の透孔２４にブッシング２１を挿入してケース２０を壁体２５，２５に嵌合させ、係止片２６をケース２０に係止させることで、トグルスイッチ１９がスイッチケース２３に保持されて上下ハウジング１７，１８間で位置決めされるものである。
【００１３】
そして、モータ４の上方で上ハウジング１７内には、前後に長い板状のスイッチレバー２７が、前後方向へスライド可能に収容されている。このスイッチレバー２７は、上ハウジング１７の上部外面で前後方向へスライド可能に設けられた操作ノブ２８に連結されるもので、操作ノブ２８の下面に設けた連結片２９が、上ハウジング１７に設けた透孔３０を貫通して上ハウジング１７内に突出し、スイッチレバー２７の前端に設けた連結孔３１に挿入係止することで、前後方向に一体となる。
また、スイッチレバー２７は、保持板１６に形成された切欠部３２を介してモータ４の後方へ突出しており、その後端には、図２，３にも示すように、前後の枠部分が係止部３４，３５となる四角形状の係止枠３３が形成されている。この係止枠３３内に、トグルスイッチ１９のレバー２２が挿入係止されるようになっている。
【００１４】
３６は、スイッチレバー２７に設けられたコイルバネで、このコイルバネ３６は、係止枠３３の前面に突設された後受け部３７と、その前側で後受け部３７に対向して突設された前受け部３８とがそれぞれ両端に挿通されることで、スイッチレバー２７の幅寸法内で略収まるように組み付けられている。スイッチレバー２７を上ハウジング１７に組み付けた状態では、コイルバネ３６の前端が保持板１６に当接して圧縮されるため、スイッチレバー２７及び操作ノブ２８は、常態では図１の後退位置に付勢される。この後退位置での係止枠３３は、トグルスイッチ１９のレバー２２のＯＦＦ位置に対応している。
【００１５】
ここで、係止枠３３の前側の係止部３４には、下向きに突出する突起３９が設けられて、この突起３９の後面から係止部３４の内面にかけて、レバー２２の挿入側（図１での下側）からレバー２２の突出側（図１での上側）へ行くに従って徐々に後退する傾斜案内面４０が形成されている。この傾斜案内面４０は、スイッチレバー２７の後退位置で上ハウジング１７にトグルスイッチ１９を組み付ける際に、ＯＮ位置にあるレバー２２の先端が当接する位置に設けられている。
【００１６】
以上の如く構成された往復動式工具１においては、上ハウジング１７にスイッチレバー２７と操作ノブ２８とを組み付ける際、まずスイッチレバー２７をコイルバネ３６と共に上ハウジング１７内に組み付けた後、操作ノブ２８を上ハウジング１７の外側から組み付けることになる。このときコイルバネ３６の付勢に抗してスイッチレバー２７を前進させる必要があるが、これは係止枠３３に設けた突起３９を利用すれば指で簡単に前進位置へスライドさせることができる。
【００１７】
そして、トグルスイッチ１９を組み付ける際、図４に示すように、スイッチレバー２７を先に組み付けた上ハウジング１７を下にしてスイッチケース２３を組み付け、その後、トグルスイッチ１９を、レバー２２を下向きにした姿勢で、ブッシング２１をスイッチケース２３の透孔２４に挿入させるようにして下方へ押し込む。このとき、レバー２２がＯＮ位置にあるまま組み付けることがあっても、図５に示すように、レバー２２が係止枠３３に設けた傾斜案内面４０に当接し、これがトグルスイッチ１９の押し込みに連れて傾斜案内面４０によってＯＦＦ位置側（図５での左側）へ案内される。そして、ケース２０が壁体２５に嵌合して係止片２６がケース２０に係止すると、図６に示すように、レバー２２はＯＦＦ位置で係止枠３３に挿入係止することになる。
【００１８】
なお、往復動式工具１によって作業を行う場合は、操作ノブ２８をコイルバネ３６の付勢に抗して前方へスライドさせると、スイッチレバー２７も前方へスライドし、係止枠３３の後側の係止部３５がレバー２２を前方のＯＮ位置へ傾動させる。よって、トグルスイッチ１９がＯＮしてモータ４が駆動し、前述のようにスピンドル１０が往復回転することになる。操作ノブ２８を後方へスライドさせれば、操作ノブ２８と共にスイッチレバー２７も後退し、係止枠３３の前側の係止部３４がレバー２２を後方のＯＦＦ位置へ傾動させるため、モータ４が停止してスピンドル１０の往復回転が停止する。
【００１９】
このように、上記形態の往復動式工具１によれば、スイッチレバー２７におけるレバー２２のＯＮ位置側の係止部３４に、レバー２２を一対の係止部３４，３５間に挿入させながらトグルスイッチ１９を上ハウジング１７内へ組み付ける際、当接したＯＮ位置のレバー２２をＯＦＦ位置へ傾動させる傾斜案内面４０を設けたことで、トグルスイッチ１９の組み付けの際には、レバー２２の位置にかかわらず常にレバー２２を係止部３４，３５間に挿入することができる。よって、レバー２２の位置を修正する作業が不要となり、高い組立効率が得られる。
【００２０】
特にここでは、ＯＮ位置側の係止部３４に、トグルスイッチ１９側へ突出する突起３９を設けて、傾斜案内面４０を係止部３４から突起３９に跨って形成したことで、傾斜案内面４０を広く形成できてレバー２２の案内がより確実に行える。また、突起３９を利用したスイッチレバー２７のスライド操作も容易に行えるため、操作ノブ２８等のスイッチレバー２７に関連する他の部品の組み付けに係る作業性も向上する。
【００２１】
なお、傾斜案内面は、レバーの案内が可能であれば平面に限らず、湾曲面や膨出曲面であっても差し支えない。また、係止枠の突起を省略して係止部の内面にのみ傾斜案内面を設けることも可能である。
さらに、上記形態ではスイッチレバーの後退位置がＯＦＦ位置、前進位置がＯＮ位置となっているが、これと逆であってもよい。よって、その場合は傾斜案内面が設けられる係止部も上記形態と前後逆になる。
加えて、スイッチレバーの係止部は上記形態のような四角形の係止枠に設けられる構造に限らず、前後に係止部を有する平面視コ字状の係止枠を採用したり、下向きに係止部が突設される側面視倒コ字状の係止枠を採用したりすることもできる。
【００２２】
その他、スイッチケースの構造やハウジングとの一体化等は可能であるし、適用する電動工具も、往復動式工具に限らず、トグルスイッチをスライド操作するスイッチレバーによってＯＮ／ＯＦＦさせる機構であれば、サンダやグラインダ等の他の種類の電動工具にも本発明は適用可能である。
【符号の説明】
【００２３】
１・・往復動式工具、２・・前ハウジング、３・・モータハウジング、４・・モータ、５・・出力軸、１０・・スピンドル、１７・・上ハウジング、１８・・下ハウジング、１９・・トグルスイッチ、２０・・ケース、２１・・ブッシング、２２・・レバー、２３・・スイッチケース、２７・・スイッチレバー、２８・・操作ノブ、３３・・係止枠、３４，３５・・係止部、３６・・コイルバネ、３９・・突起、４０・・傾斜案内面。
【図１】
0005775796.tif 000002
【図２】
0005775796.tif 000003
【図３】
0005775796.tif 000004
【図４】
0005775796.tif 000005
【図５】
0005775796.tif 000006
【図６】
0005775796.tif 000007